(57)【要約】      （修正有）【課題】折り畳み自転車の立管上で使用する弾性を有する挟持装置を提供する。【解決手段】コラムと結合できる弾性を有する挟持装置１であって、コラムは相互いに連接する連結棒及び円柱状枢軸とを含み、弾性を有する挟持装置は挟持部１０と固定部２０とを含み、挟持部が２つの挟持面１１、１２を含み、連結棒を収容するために用いられる。固定部が挟持部に連接すると共に円柱状枢軸を固定するために用られ、連結棒を回転して、２つの挟持面が連結棒の柱角と突き当てた時、２つの挟持面が互いに分離することで、連結棒の毎回回転時１つの固定角度でのみ回転できる。【選択図】図１
0003200646.tif 000002
【実用新案登録請求の範囲】
【請求項１】
コラムを挟持するために用いられることができ、前記コラムが連結棒と円柱状枢軸とを含み、前記連結棒が多辺形柱体で、少なくとも１つの柱角と少なくとも１つの柱面とを備える弾性を有する挟持装置であって、
第１挟持面と前記第１挟持面の対向面に設けられる第２挟持面とを含み、且つ前記第２挟持面と前記第１挟持面で形成する空間が前記連結棒を収容及び挟持するために用いられる挟持部と、
前記挟持部と連接し、前記円柱状枢軸を収容するために用いられ、前記第１挟持面及び前記第２挟持面が前記連結棒を挟持した時、前記連結棒を回転することにより前記第１挟持面及び前記第２挟持面が前記少なくとも１つの柱角と接触する時、前記柱角が前記第１挟持面及び前記第２挟持面を拡開し、前記第１挟持面及び前記第２挟持面を互いに分離させることで、前記連結棒を１つの角度で回転させることができる固定部と、
を含むことを特徴とする弾性を有する挟持装置。
【請求項２】
前記第１挟持面及び前記第２挟持面は、各々バネシートとすることを特徴とする請求項１に記載の弾性を有する挟持装置。
【請求項３】
前記バネシートは、鋼製バネシート或いは鉄製バネシートとすることを特徴とする請求項２に記載の弾性を有する挟持装置。
【請求項４】
前記第１挟持面及び前記第２挟持面は、互いに平行となることを特徴とする請求項１に記載の弾性を有する挟持装置。
【請求項５】
前記連結棒は、ねじ部を含み、前記固定部が穴を含み、前記ねじ部を前記穴に通過させることを特徴とする請求項１に記載の弾性を有する挟持装置。
【請求項６】
前記挟持部は、突き当て板を更に含み、前記突き当て板が前記連結棒に加圧でき、前記連結棒の固定に用いられることを特徴とする請求項１に記載の弾性を有する挟持装置。
【請求項７】
前記第１挟持面及び前記第２挟持面は、各々対応して設けられる凹凸部を更に含むことを特徴とする請求項１に記載の弾性を有する挟持装置。
【請求項８】
前記凹凸部は、複数の円弧歯を有することを特徴とする請求項７に記載の弾性を有する挟持装置。
【請求項９】
前記固定部は、円弧状の曲がりアームを含み、その形状が該円柱状枢軸と互いに対応することを特徴とする請求項１に記載の弾性を有する挟持装置。
【考案の詳細な説明】
【技術分野】
【０００１】
本考案は、スプリングプレートに関し、特に、折り畳み自転車の立管上で使用する弾性を有する挟持装置に関する。
【背景技術】
【０００２】
折り畳み自転車は、持ち運びに便利であるため、この数年一般大衆に幅広く受容されてきた。折り畳み自転車の構造において、立管に接続する部分が連結具で分解或いは固定することがよく行われており、例えば特許文献１で開示されている『折り畳み式自転車の折り畳み装置』の連結具４０がこのような構造に該当する。折り畳み自転車の業界では、連結具４０において通常第１円柱状枢軸４１とロッド４２の案内溝４３３に緩み止め剤（「ナイロック」という）を塗布することで、連結具４０が緩むのを防止している。
【０００３】
しかしながら現実の生活において、スレッドコンパウンドは一定の寿命があり、自転車の走行中の振動及び分解時の動作が長期間になると、やはり完全に固定されていない連結具４０を緩脱させて動くため、上記問題を改善する必要があった。
【先行技術文献】
【特許文献】
【０００４】
【特許文献１】台湾特許第Ｉ４０２１９８号
【考案の概要】
【考案が解決しようとする課題】
【０００５】
本考案は、折り畳み自転車のステム折り畳み構造内の連結具（通常がコラムである）の振動や緩脱問題を改善するための弾性を有する挟持装置を提供することを主な目的とする。
【課題を解決するための手段】
【０００６】
上記目的を達成するため、本考案はコラムを挟持するために用いられることができ、該コラムが連結棒と円柱状枢軸とを含み、該連結棒が多辺形柱体で、少なくとも１つの柱角と少なくとも１つの柱面とを備える弾性を有する挟持装置を提供する。該弾性を有する挟持装置は、挟持部と固定部とを含む。挟持部は、第１挟持面と該第１挟持面の対向面に設けられる第２挟持面とを含み、且つ該第２挟持面と該第１挟持面で形成する空間が該連結棒を収容及び挟持するために用いられる。固定部は該挟持部と連接し、該円柱状枢軸を収容するために用いられ、該第１挟持面及び該第２挟持面が該連結棒を挟持した時、該連結棒を回転することにより該第１挟持面及び該第２挟持面が該少なくとも１つの柱角と接触する時、該柱角が該第１挟持面及び該第２挟持面を拡開し、該第１挟持面及び該第２挟持面を互いに分離させることで、該連結棒を１つの角度で回転させることができる。
【０００７】
本考案の一実施例によれば、該第１挟持面及び該第２挟持面は、各々バネシートとする。
【０００８】
本考案の一実施例によれば、該バネシートは、鋼製バネシート或いは鉄製バネシートとする。
【０００９】
本考案の一実施例によれば、該第１挟持面及び該第２挟持面は、互いに平行となる。
【００１０】
本考案の一実施例によれば、該連結棒はねじ部を含み、該固定部が穴を含み、該ねじ部を該穴に通過させる。
【００１１】
本考案の一実施例によれば、該挟持部は突き当て板を更に含み、該突き当て板が該連結棒に加圧でき、該連結棒の固定に用いられる。
【００１２】
本考案の一実施例によれば、該第１挟持面及び該第２挟持面は、各々対応して設けられる凹凸部を更に含む。
【００１３】
本考案の一実施例によれば、該凹凸部は複数の円弧歯を有する。
【００１４】
本考案の一実施例によれば、該固定部は円弧状の曲がりアームを含み、その形状が該円柱状枢軸と互いに対応する。
【図面の簡単な説明】
【００１５】
【図１】本考案の弾性を有する挟持装置立体図である。
【図２】本考案の弾性を有する挟持装置の使用状態を示す模式図である。
【考案を実施するための形態】
【００１６】
以下、本考案の技術的内容を審査官に更に理解してもらうため、好ましい実施例を添付図面に基づいて説明する。
【００１７】
図１及び図２を参照しながら説明する。図１は本考案の弾性を有する挟持装置１立体図で、図２が本考案の弾性を有する挟持装置１の使用状態を示す模式図である。図２は、弾性を有する挟持装置１とコラム８０との結合状態を示し、コラム８０は連結棒８１と円柱状枢軸８２とを含む。本考案の一実施例によれば、連結棒８１は六角ボールねじで、６個の柱面８１２と６個の柱角８１１とろ含む。円柱状枢軸８２はピンで、両者はねじ部を通じて互いに連接できる。
【００１８】
弾性を有する挟持装置１は、挟持部１０と固定部２０とを含み、挟持部１０が連結棒８１を収容並びに挟持するために用いられ、固定部２０が円柱状枢軸８２を収容並びに固定するために用いられる。本考案の一実施例によれば、固定部２０は円弧状の曲がりアームを含み、その形状が円柱状枢軸８２と互いに対応する。挟持部１０は、第１挟持面１１と第２挟持面１２とを含み、２つの挟持面が均しく鋼製或いは鉄製素材で、且つ対向して設け、空間を形成して連結棒８１を収容並びに挟持できる。本考案の一実施例において、弾性を有する挟持装置１とコラム８０を結合した時、連結棒８１が第１挟持面１１と第２挟持面１２で形成した収容空間に入る時、鋼又は鉄で製造されて弾性を有する第１挟持面１１及び第２挟持面１２を拡開してスムーズに該収容空間に入ることができる。連結棒８１が該収容空間に入った後、第１挟持面１１及び第２挟持面１２が柱面８１２に接触し、また第１挟持面１１及び第２挟持面１２の挟持力を介して連結棒８１を挟持する。本考案の一実施例において、第１挟持面１１及び第２挟持面１２はバネシートで、鋼又は鉄で製造されることができるが、その素材がこれに限るものではなく、適切な弾力を有するその他の金属或いは弾性素材がいずれも第１挟持面１１及び第２挟持面１２を製造できる。
【００１９】
本考案の一実施例によれば、第１挟持面１１と第２挟持面１２は互いに平行となり、本体が六角ボールねじとする連結棒８１も三対の平行柱面８１２を備えるため、連結棒８１が本考案の弾性を有する挟持装置１に挟持された時、連結棒８１のいずれかの一対の柱面８１２が第１挟持面１１及び第２挟持面１２に密着する。
【００２０】
第１挟持面１１及び第２挟持面１２が該連結棒８１を挟持する時、利用者は該連結棒８１を回した時、固定部２０の円弧状の曲がりアームが円柱状枢軸８２を収容並びに固定し、円柱状枢軸８２を動かないように固定し、連結棒８１自体だけを回転する。該連結棒８１を回転して第１挟持面１１及び第２挟持面１２を連結棒８１の柱角８１１と接触させる時、第１挟持面１１及び第２挟持面１２が両端柱角８１１の比較的長い距離（六角柱体の外接円の直径）により柱角８１１で拡開され、第１挟持面１１及び第２挟持面１２を互いに分離することで、連結棒９１は１つの角度を回されることができる。該角度で回転して第１挟持面１１及び第２挟持面１２を次の一対の柱面８１２と密着させる時、弾性を有する挟持装置１は本来の挟持状態に戻る。
【００２１】
上記構造を介して、連結棒８１の回転は１つの固定角度に制限される。例えば本実施例の連結棒８１は六角ボールねじの場合、毎回の回転角度が６０度である。ただし、本考案の連結棒８１は、六角ボールねじに限られるものではなく、連結棒８１が偶数のペアになる柱面の柱体であれば、均しく適用され、例えば方柱ボールねじ（毎回９０度回転）、八角ボールねじ（毎回４５度回転）で、以後も同様する。
【００２２】
本考案の一実施例によれば、固定部２０は、連結棒８１のねじ部を通過させ、コラム８０の連結棒８１と円柱状枢軸８２の連接時の挿通程度が更に深くにするための穴２１を更に含むことができる。特に、本考案も該穴２１を設けないことができ、こうすると、連結棒８１の挿通程度の調整幅が縮小されるだけである。
【００２３】
本考案の一実施例によれば、挟持部１０のうちの一面の両柱角（第１挟持面１１及び第２挟持面１２の底部）は、製造工程のニーズに応じて完全に垂直しない角度で製造して円弧角を形成できる。この時、挟持部１０は、突き当て板１４を更に含むことができ、これを介して突き当てると共に該連結棒８１に加圧して固定を強化する。特に、製造工程のニーズに応じて挟持部１０のうちの一面の両柱角は垂直角の場合、突き当て板１４の設置必要がなくと、直接挟持部１０のうちの一面で連結棒８１の柱面８１２と密着して固定することができる。
【００２４】
本考案の一実施例によれば、連結棒８１の回転時柱角８１１が外方へ突出した時の起伏に合わせるため、第１挟持面１１及び第２挟持面１２は、各々複数の円弧歯状の凹凸部１３を有する。ただし、凹凸部１３の構造はこれに限られるものではなく、その他の適する構造とすることもでき、例えば三角尖歯、方形歯等である。
【００２５】
以上の述べるものは実施例のみであって、本考案はそのような具体例にのみ限定して狭義に解釈されるべきものではなく、本考案の精神及び範囲から離れることなく種々の変更及び改変を為し得ることは、本考案の実用新案登録請求の範囲内に含めるものであるのが勿論である。
【符号の説明】
【００２６】
１      弾性を有する挟持装置
１０    挟持部
１１    第１挟持面
１２    第２挟持面
１３    凹凸部
１４    突き当て板
２０    固定部
２１    穴
８０    コラム
８１    連結棒
８１１  柱角
８１２  柱面
８２    円柱状枢軸
【図１】
0003200646.tif 000003
【図２】
0003200646.tif 000004